(57)【要約】【課題】  直線の測定と曲線の測定を容易に行うことができる簡易型の定規を提供すること。【解決手段】  平面視略長方形状をなす細長い定規本体１１と、この定規本体１１の長手方向両端側に設けられた第１及び第２の指掛け部１２，１３とを備えて定規１０が構成されている。定規本体１１は、弾性変形可能な樹脂製のシートにより構成されており、指掛け部１２，１３に指先を引っ掛けて当該指先間の距離を離間接近させることで直線状及び曲線状に変形可能に設けられている。【選択図】          図１
2006275671.tif 000002
【特許請求の範囲】
【請求項１】
長手方向に延びるとともに目盛り線が形成された定規本体と、当該定規本体の長手方向両端側に設けられた指掛け部とを備え、
前記定規本体は、面形状を変形可能なシートにより構成されていることを特徴とする定規。
【請求項２】
前記定規本体は、前記指掛け部に指先を引っ掛けて当該指先間の距離を離間接近させることで、直線状及び曲線状に変形することを特徴とする請求項１記載の定規。
【請求項３】
前記定規本体は、蠕動運動に近似した軌跡に沿う変形を伴って連続測定が可能に設けられていることを特徴とする請求項１又は２記載の定規。
【請求項４】
前記指掛け部は、定規本体の一端側に設けられた親指用の第１指掛け部と、定規本体の他端側に設けられた中指若しくは人差し指用の第２の指掛け部とからなり、第１及び第２の指掛け部にそれぞれ指先を引っ掛けて指先間を狭める方向に操作したときに、前記定規本体が変形して曲線測定が可能とされることを特徴とする請求項１，２又は３記載の定規。
【発明の詳細な説明】
【技術分野】
【０００１】
本発明は定規に係り、更に詳しくは、弾性変形可能な定規本体を指先で支え持つことができるようにして測定することのできる定規に関する。
【背景技術】
【０００２】
周知のように、定規は、平面視略長方形状をなす細長い板状若しくは片状の定規本体と、この定規本体の長手方向に沿って印刷された目盛り線とにより構成されている。
【０００３】
特許文献１には、目盛り線が設けられた定規本体に取っ手を設けた定規が開示されている。この定規によれば、取っ手を持つことで、定規本体を滑らせたりする操作を容易に行うことができる。
【０００４】
【特許文献１】特開平７−２７６８９２号公報
【発明の開示】
【発明が解決しようとする課題】
【０００５】
しかしながら、特許文献１に記載された定規は、定規本体が定型性を有する面形状を備えたものであり、曲線測定を行うには不向きなものとなっている。また、定規の最大長さを越える測定に際しては、一般的な定規と同様に、定規本体を直線方向に滑らせることによって行われるものであり、被測定面が平滑でないと連続測定ができなくなる、という不都合がある。
【０００６】
［発明の目的］
本発明の目的は、直線の測定をもとより行える他、曲線の測定も容易に行うことができ、しかも、定規本体の長さを越える直線若しくは曲線の測定を行う際に、蠕動運動のような連続性をもった操作感で測定を行うことのできる定規を提供することにある。
【課題を解決するための手段】
【０００７】
前記目的を達成するため、本発明に係る定規は、長手方向に延びるとともに目盛り線が形成された定規本体と、当該定規本体の長手方向両端側に設けられた指掛け部とを備え、
前記定規本体は、面形状を変形可能なシートにより構成されている。
【０００８】
本発明において、前記定規本体は、前記指掛け部に指先を引っ掛けて当該指先間の距離を離間接近させることで、直線状及び曲線状に変形するように設けられている。
【０００９】
また、前記定規本体は、蠕動運動に近似した軌跡に沿う変形を伴って連続測定が可能に設けられる、という構成を採っている。
【００１０】
更に、前記指掛け部は、定規本体の一端側に設けられた親指用の第１指掛け部と、定規本体の他端側に設けられた中指若しくは人差し指用の第２の指掛け部とからなり、第１及び第２の指掛け部にそれぞれ指先を引っ掛けて指先間を狭める方向に操作したときに、前記定規本体が変形して曲線測定が可能とされる、という構成を採ることができる。
【００１１】
なお、本明細書において、「蠕動」とは、例えば、蝶の幼虫等が前進する際の動き、すなわち直線姿勢と曲線姿勢を交互に繰り返す動作について用いられる。
【発明の効果】
【００１２】
本発明によれば、定規本体が弾性変形可能なシートにより構成されているため、直線方向に沿う測定を行えるだけでなく、被測定面が湾曲面若しくは屈曲面であっても、それらの面に定規本体を接触させて沿わせることで曲線測定も行うことができる。
また、定規本体の長手方向両端側に指掛け部を設けたから、例えば、第１の指掛け部に親指を引っ掛ける一方、第２の指掛け部に中指を引っ掛ければ、これらの指先間の距離を狭める操作で曲線測定を行うことができる。従って、指先間距離を大きくしたり、小さくしたりする動作を交互に行いながら被測定箇所を横方向に移動させる蠕動運動に近似させた操作を行うことで、定規本体の長さを越える距離を測定する場合でも、移動回数を積算して簡易に測定することが可能となる。
【発明を実施するための最良の形態】
【００１３】
以下、本発明の好ましい実施形態を図面を参照しながら説明する。
【００１４】
図１には、本実施形態に係る定規の使用状態を示す概略斜視図が示されている。この図において、定規１０は、長手方向に延びる定規本体１１と、この定規本体１１の長手方向両端側に設けられた第１の指掛け部１２及び第２の指掛け部１３と、定規本体１１の幅方向両端縁に設けられた目盛り線１４とを備えて構成されている。定規本体１１は、常時は平坦な面形状を保有する定型性を備えているとともに、曲線若しくは屈曲状に弾性変形可能な樹脂製のシートにより構成されている。本実施形態における定規本体１１の全長は、特に限定されるものではないが、１５センチ程度の目盛り線１４を備えた長さに設定されている。
【００１５】
前記第１及び第２の指掛け部１２，１３は、図２及び図３に示されるように、定規本体１１の上面から円弧状に湾曲して先端が自由端として形成された起立片により構成されている。第１の指掛け部１２には、例えば、親指の指先を差し込んで引っ掛けることができる一方、第２の指掛け部１３には、人差し指又は中指を引っ掛けることができるようになっている。これら指掛け部１２，１３は、平面視で、定規本体１１の幅方向に沿うように設けられているとともに、ハ字状をなすように僅かに傾いた方向に向けられ、これにより、指先を差し込む際の当該指先の差し込み角度に対応できるようになっている。
【００１６】
前記定規１０を用いて測定を行うときは、図１に示されるように、第１及び第２の指掛け部１２，１３に親指及び中指を引っかけた状態で定規本体１１を被測定面に当てがい、目視にて測定することができ、必要に応じて、定規本体１１の端縁に沿って直線を引くこともできる。また、定規１０の長さよりも長い距離を測定するときは、図４に示されるように、親指と中指の指先間距離を開いたり、狭めたりして蠕動運動のような動作を反復し、これの回数をカウントすることで、大凡の距離測定を行うことができる。
【００１７】
また、図５及び図６に示されるように、被測定箇所が緩やかな曲面、屈曲した曲面であっても、定規本体１１の面を湾曲若しくは屈曲変形させることで、測定を行うことができる。
【００１８】
従って、このような実施形態によれば、被測定箇所に応じて簡易に測定を行うことができる他、測定距離が長い場合であっても、前述した蠕動運動に近似した動作を指先間で行うことで、距離測定を行うことができる簡易型の定規を提供することができる。しかも、曲線に沿って線を引くことも容易に行うことができる。
【００１９】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、その他の詳細な構成において、当業者が様々な変形を加えることができるものである。
従って、上記に開示した素材、形状、位置などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２０】
例えば、第１及び第２の指掛け部は、図７（Ａ）に示されるように、両端が定規本体１１に連なるループ状に形成してもよく、また、図７（Ｂ）に示されるように、定規本体１１の面から立ち上がる円筒状に形成してもよい。要するに、本発明に係る指掛け部は、指先を引っ掛けて定規本体１１を持ち、しかも、曲線状に変形させる操作を行うことができるようになっていれば足りる。
【図面の簡単な説明】
【００２１】
【図１】本実施形態に係る定規の使用状態を示す概略斜視図。
【図２】前記定規の平面図。
【図３】定規の拡大側面図。
【図４】前記定規の使用状態を示す作用説明図。
【図５】前記定規が曲面を測定する状態を示す作用説明図。
【図６】前記定規が屈曲面を測定する状態を示す作用説明図。
【図７】（Ａ）及び（Ｂ）は、定規の変形例を示す概略斜視図。
【符号の説明】
【００２２】
１０  定規
１１  定規本体
１２  第１の指掛け部
１３  第２の指掛け部
１４  目盛り線
【図１】
2006275671.tif 000003
【図２】
2006275671.tif 000004
【図３】
2006275671.tif 000005
【図４】
2006275671.tif 000006
【図５】
2006275671.tif 000007
【図６】
2006275671.tif 000008
【図７】
2006275671.tif 000009